(57)【特許請求の範囲】
【請求項１】
プラントにおける複数の配管の配置情報が記載された複数の図面が表示される表示装置と、
前記複数の図面のサムネイル画像、前記サムネイル画像を前記表示装置の画面上に表示する際の位置情報、前記複数の図面のうちの２以上の図面に渡って記載された配管についての各図面における結節点を示す複数のノードを前記表示装置の画面上に表示する際の位置情報、前記複数のノードの中で対になる２つのノードの対応関係を示す接続情報、及び前記複数の配管内における流体の流通方向情報が記憶された記憶装置と、
前記サムネイル画像の位置情報に基づいて前記表示装置の画面上に前記サムネイル画像を配置する処理、前記ノードの位置情報及び接続情報に基づいて前記複数のノードの中で対になる２つのノードを接続するリンクを前記画面上に表示する処理、及び前記流体の流通方向情報を前記画面上に表示したリンクに関連付けて表示する処理を実行する演算制御装置とを備えることを特徴とする図面表示装置。
【請求項２】
請求項１に記載の図面表示装置において、
前記演算制御装置は、前記画面上に表示した前記リンクがどの配管の接続関係を示しているかを示す識別子を当該リンクに関連付けて表示する処理をさらに実行することを特徴とする図面表示装置。
【請求項３】
請求項１に記載の図面表示装置において、
ユーザーによる選択指令を入力するための入力装置をさらに備え、
前記演算制御装置は、前記複数の図面の中で前記入力装置を介してユーザーに選択された図面のサムネイル画像を前記表示装置の画面上の中央に表示する処理をさらに実行することを特徴とする図面表示装置。
【請求項４】
請求項１に記載の図面表示装置において、
ユーザーによる選択指令を入力するための入力装置をさらに備え、
前記記憶装置は、前記複数の図面を記憶しており、
前記演算制御装置は、前記表示装置の画面上に配置されたサムネイル画像のうち前記入力装置を介してユーザーに選択されたものに係る図面を前記表示装置に表示する処理をさらに実行することを特徴とする図面表示装置。
【請求項５】
プラントにおける複数の配管の配置情報が記載された複数の系統図及び当該複数の系統図に含まれる複数の施工図が表示される表示装置と、
ユーザーによる選択指令を入力するための入力装置と、
前記複数の系統図及び施工図のサムネイル画像、前記複数の系統図及び施工図のサムネイル画像を前記表示装置の画面上に表示する際の位置情報、前記複数の系統図及び施工図のうちの２以上の図面に渡って記載された配管についての各図面における結節点を示す複数のノードを前記表示装置の画面上に表示する際の位置情報、前記複数のノードの中で対になる２つのノードの対応関係を示す接続情報、及び前記複数の配管内における流体の流通方向情報が記憶された記憶装置と、
前記複数の系統図のサムネイル画像の位置情報に基づいて前記表示装置の画面上に前記複数の系統図のサムネイル画像を配置する処理、前記複数のノードのうち前記複数の系統図に係るものの位置情報及び接続情報に基づいて当該複数のノードの中で対になる２つのノードを接続するリンクを前記表示装置に表示する処理、及び前記流体の流通方向情報を前記表示装置に表示した当該リンクに関連付けて表示する処理を実行する演算制御装置とを備え、
前記演算制御装置は、前記表示装置の画面上に配置された前記系統図のサムネイル画像のいずれかが前記入力装置を介してユーザーに選択されたとき、前記複数の施工図のサムネイル画像の位置情報に基づいて前記表示装置の画面上に前記複数の施工図のサムネイル画像を配置しつつ、前記表示装置に表示されている前記複数の系統図のサムネイル画像を非表示にする処理、前記複数のノードのうち前記複数の施工図に係るものの位置情報及び接続情報に基づいて前記複数のノードの中で対になる２つのノードを接続するリンクを前記表示装置に表示する処理、及び前記流体の流通方向情報を前記表示装置に表示した当該リンクに関連付けて表示する処理を実行することを特徴とする図面表示装置。
【請求項６】
請求項５に記載の図面表示装置において、
前記記憶装置には、前記複数の系統図のそれぞれに含まれる施工図に対応させながら当該各系統図を配管の配設方向に沿って複数に分割した分割系統図と前記複数の施工図との対応関係を示す情報である図面対応情報が記憶されており、
前記演算制御装置は、前記表示装置の画面上に配置された前記系統図のサムネイル画像のいずれかが前記入力装置を介してユーザーに選択されたとき、当該系統図のサムネイル画像において前記入力装置を介して選択された位置に相当する分割系統図を特定し、当該特定した分割系統図に対応する施工図を前記図面対応情報に基づいて特定し、当該特定した施工図のサムネイル画像を前記表示装置の画面上の中央に表示する処理をさらに実行することを特徴とする図面表示装置。
【発明の詳細な説明】
【技術分野】
【０００１】
本発明は配管とこれに関連する設備及び機器との接続状況を示す図面を表示する図面表示装置に関する。
【背景技術】
【０００２】
流体等が流通する配管（又は電気、光等の配線）とこれに関連する設備及び機器とを接続して構成される施設（例えば、各種発電プラント）では、これらの接続状況を示す図面（例えば、系統図や施工図）を利用して配管の施工管理や保守管理等が行われることがある。通常、管理対象となる配管は複数の図面に渡って記載されており、その管理対象の配管に係る情報を収集するためには、各図に付された取り合い図面番号（配管の続きが記載された図面を示す図面間のリンク情報）を頼りに複数の図面をチェックする必要がある。例えば、原子力発電プラントに係る図面には、何十枚もの系統図と何千枚もの施工図が存在するため、その作業は極めて多大な労力を必要とする。
【０００３】
この点に関連して、２枚の系統図に記載された配管の接続関係を容易に把握できるようにすることを図った技術としては、中央監視室等でプラントの状態を監視するための表示装置の表示画面を複数に分割し、その分割画面上で隣り合う２画面に表示された系統図中に連続した配管が存在する場合には、当該連続関係にある配管を接続する線を作成して画面上に表示するようにしたものがある（特許文献１参照）。
【先行技術文献】
【特許文献】
【０００４】
【特許文献１】特開２００５−５５９６５号公報
【発明の概要】
【発明が解決しようとする課題】
【０００５】
しかし、上記技術では、２つの系統図間における配管の接続関係を把握するためには、当該２つの系統図を隣り合って配置しなければならず、また、隣り合って配置しない場合には「呼び出しボタン」を別途押す必要が有るため、配管の続きが記載された図面を特定する作業（図面の取り合いの確認作業）が煩雑になってしまう。すなわち、上記技術は、複数の系統図間における配管の接続関係を把握することに最適化したものではなく、改良の余地がある。例えば、通常、１枚の系統図には複数の配管が存在することが多く、その複数の配管の続きがそれぞれどの図面に記載されているかを容易に把握可能にすることが好ましい。また、各配管内を流通する流体の流通方向を瞬時に判別可能にすることが好ましい。
【０００６】
本発明の目的は配管が記載された複数の図面の取り合い確認作業を効率良く行うことができる図面表示装置を提供することにある。
【課題を解決するための手段】
【０００７】
（１）本発明は、上記目的を達成するために、プラントにおける複数の配管の配置情報が記載された複数の図面が表示される表示装置と、前記複数の図面のサムネイル画像、前記サムネイル画像を前記表示装置の画面上に表示する際の位置情報、前記複数の図面のうちの２以上の図面に渡って記載された配管についての各図面における結節点を示す複数のノードを前記表示装置の画面上に表示する際の位置情報、前記複数のノードの中で対になる２つのノードの対応関係を示す接続情報、及び前記複数の配管内における流体の流通方向情報が記憶された記憶装置と、前記サムネイル画像の位置情報に基づいて前記表示装置の画面上に前記サムネイル画像を配置する処理、前記ノードの位置情報及び接続情報に基づいて前記複数のノードの中で対になる２つのノードを接続するリンクを前記画面上に表示する処理、及び前記流体の流通方向情報を前記画面上に表示したリンクに関連付けて表示する処理を実行する演算制御装置とを備えるものとする。
【０００８】
（２）上記（１）において、好ましくは、前記演算制御装置は、前記画面上に表示した前記リンクがどの配管の接続関係を示しているかを示す識別子を当該リンクに関連付けて表示する処理をさらに実行するものとする。
【０００９】
（３）上記（１）において、好ましくは、ユーザーによる選択指令を入力するための入力装置をさらに備え、前記演算制御装置は、前記複数の図面の中で前記入力装置を介してユーザーに選択された図面のサムネイル画像を前記表示装置の画面上の中央に表示する処理をさらに実行するものとする。
【００１０】
（４）上記（１）において、好ましくは、ユーザーによる選択指令を入力するための入力装置をさらに備え、前記記憶装置は、前記複数の図面を記憶しており、前記演算制御装置は、前記表示装置の画面上に配置されたサムネイル画像のうち前記入力装置を介してユーザーに選択されたものに係る図面を前記表示装置に表示する処理をさらに実行するものとする。
【００１１】
（５）また、本発明は、プラントにおける複数の配管の配置情報が記載された複数の系統図及び当該複数の系統図に含まれる複数の施工図が表示される表示装置と、ユーザーによる選択指令を入力するための入力装置と、前記複数の系統図及び施工図のサムネイル画像、前記複数の系統図及び施工図のサムネイル画像を前記表示装置の画面上に表示する際の位置情報、前記複数の系統図及び施工図のうちの２以上の図面に渡って記載された配管についての各図面における結節点を示す複数のノードを前記表示装置の画面上に表示する際の位置情報、前記複数のノードの中で対になる２つのノードの対応関係を示す接続情報、及び前記複数の配管内における流体の流通方向情報が記憶された記憶装置と、前記複数の系統図のサムネイル画像の位置情報に基づいて前記表示装置の画面上に前記複数の系統図のサムネイル画像を配置する処理、前記複数のノードのうち前記複数の系統図に係るものの位置情報及び接続情報に基づいて当該複数のノードの中で対になる２つのノードを接続するリンクを前記表示装置に表示する処理、及び前記流体の流通方向情報を前記表示装置に表示した当該リンクに関連付けて表示する処理を実行する演算制御装置とを備え、前記演算制御装置は、前記表示装置の画面上に配置された前記系統図のサムネイル画像のいずれかが前記入力装置を介してユーザーに選択されたとき、前記複数の施工図のサムネイル画像の位置情報に基づいて前記表示装置の画面上に前記複数の施工図のサムネイル画像を配置しつつ、前記表示装置に表示されている前記複数の系統図のサムネイル画像を非表示にする処理、前記複数のノードのうち前記複数の施工図に係るものの位置情報及び接続情報に基づいて前記複数のノードの中で対になる２つのノードを接続するリンクを前記表示装置に表示する処理、及び前記流体の流通方向情報を前記表示装置に表示した当該リンクに関連付けて表示する処理を実行するものとする。
【００１２】
（６）上記（５）において、好ましくは、前記記憶装置には、前記複数の系統図のそれぞれに含まれる施工図に対応させながら当該各系統図を配管の配設方向に沿って複数に分割した分割系統図と前記複数の施工図との対応関係を示す情報である図面対応情報が記憶されており、前記演算制御装置は、前記表示装置の画面上に配置された前記系統図のサムネイル画像のいずれかが前記入力装置を介してユーザーに選択されたとき、当該系統図のサムネイル画像において前記入力装置を介して選択された位置に相当する分割系統図を特定し、当該特定した分割系統図に対応する施工図を前記図面対応情報に基づいて特定し、当該特定した施工図のサムネイル画像を前記表示装置の画面上の中央に表示する処理をさらに実行するものとする。
【発明の効果】
【００１３】
本発明によれば、各図面における配管の接続関係が容易に把握できるので、図面の取り合いを確認作業を効率良く行うことができる。
【図面の簡単な説明】
【００１４】
【図１】本発明の実施の形態に係る図面表示装置の概略構成図。
【図２】本発明の実施の形態に係る図面情報記憶装置５２における分割系統図と施工図との対応関係の一例を示す図。
【図３】系統図のサムネイル画像を表示する場合において、本発明の実施の形態に係る演算制御装置３で実行される各処理のフローチャート。
【図４】図３のフローチャートの処理によって表示装置１に表示される画面の一例を示す図。
【図５】表示装置１の画面上の系統図のサムネイル画像６１Ｉが選択され、当該サムネイル画像６１Ｉに相当する図面画像７１が表示装置１の画面上に表示された場合の一例を示す図。
【図６】画面上のサムネイル画像を選択すると、系統図間リンク表示モードから施工図間リンク表示モードに切り換わる機能を備える図面表示装置の表示画面の一例を示す図。
【発明を実施するための形態】
【００１５】
以下、本発明の実施の形態を図面を用いて説明する。
【００１６】
図１は本発明の実施の形態に係る図面表示装置の概略構成図である。この図に示す図面表示装置は、原子力発電プラントにおける複数の配管の配置情報が記載された複数の系統図及び施工図を表示するものであり、例えば液晶ディスプレイ等で構成される表示装置１と、例えばマウス及びキーボード等で構成される入力装置２と、例えばＣＰＵ（中央処理装置）等で構成される演算制御装置３と、ＲＡＭ及びＲＯＭ等で構成される主記憶装置４及び磁気記憶装置（ＨＤＤ）等で構成される補助記憶装置５を含む記憶装置を備えている。
【００１７】
補助記憶装置５は、画像記憶装置５１と、図面情報記憶装置５２と、ノード情報記憶装置５３と、リンク情報記憶装置５４を備えている。なお、各記憶装置５１，５２，５３，５４に記憶されるデータは、例えば表計算ソフトを用いて作成することができる。
【００１８】
画像記憶装置５１には、原子力発電プラントで利用される複数の系統図及び施工図（以下において、「各図面」と称することがある）をそれぞれデジタル化した系統図の図面画像７１（図５参照）及び施工図の図面画像７２（図６参照）と、当該図面画像７１，７２を縮小した系統図のサムネイル画像６１及び施工図のサムネイル画像６２とが記憶されている。本実施の形態における画像記憶装置５１内の図面画像７１，７２とサムネイル画像６１，６２は、各図面に付されたユニークな番号（図面番号（図面No.））と関連付けて記憶されており、本実施の形態における図面表示装置では当該図面番号によって各画像７１，７２，６１，６２が識別されている。
【００１９】
図面情報記憶装置５２には、図面番号に関連付けて図面位置情報と図面対応情報が記憶されている。図面位置情報は、各図面のサムネイル画像６１，６２を表示装置１の画面１１上に表示する際に利用される位置を、所定の平面直交座標系の座標（例えば、ＸＹ座標）で定義したものである。この場合、例えば、各サムネイル画像６１，６２の左上に位置するピクセルの位置を基点とすると、当該ピクセルの座標が当該サムネイル画像６１，６２の図面位置情報となる。図面対応情報は、各系統図に含まれる施工図に対応させながら当該各系統図を配管の配設方向に沿って複数に分割し、当該分割した系統図（分割系統図）と施工図の対応関係を示す情報である。
【００２０】
図２は本発明の実施の形態に係る図面情報記憶装置５２における分割系統図と施工図との対応関係の一例を示す図である。この図に示すように、本実施の形態では、系統図のサムネイル画像６１Ａを配管の配設方向に沿って分割することで４つの分割系統図６１Ａ１，６１Ａ２，６１Ａ３，６１Ａ４を予め作成しておき、各分割系統図に図面番号を付す。そして、その分割系統図の図面番号と施工図のサムネイル画像６２の図面番号とを利用して、分割系統図６１Ａ１には施工図６２ａ１を対応付け、分割系統図６１Ａ２には施工図６２ａ２を対応付け、分割系統図６１Ａ３には施工図６２ａ３を対応付け、分割系統図６１Ａ４には施工図６２ａ４を対応付けている。すなわち、本実施の形態における図面情報記憶装置５２では、各系統図に含まれる施工図に対応させながら当該各系統図のサムネイル画像６１を配管の配設方向に沿って複数に分割することで得られる分割系統図（分割したサムネイル画像）にそれぞれ図面番号を付し、当該各分割画像の図面番号に対して施工図のサムネイル画像の図面番号を関連付けたものを図面対応情報として記憶している。
【００２１】
図面情報記憶装置５２には、さらに、各図面の図面画像７１，７２及びサムネイル画像６１，６２の格納先（画像記憶装置５１におけるアドレス）を示す情報（図面格納先情報）と、各図面画像７１，７２及びサムネイル画像６１，６２の画像サイズ（横ピクセル数×縦ピクセル数）と、当該プラントにおいて各図面に記載された設備・機器が含まれる建屋を示す建屋コード情報と、当該プラントにおいて各図面に記載された設備・機器が含まれる系統を示す系統コード情報が記憶されている。
【００２２】
ノード情報記憶装置５３には、２以上の図面（系統図又は施工図）に渡って記載された配管についての各図面における結節点（出入口）を示すノード６３を表示装置１の画面上に表示する際の位置情報（ノード位置情報）が記憶されている。ノード位置情報は、図面位置情報と同様に、平面直交座標系の座標で定義されている。ここで、本実施の形態におけるノード６３とは、連続した配管が記載された２つの図面間における当該配管のリンク関係を示す出入口であり、図１の表示画面１１の例に示すように、各図面のノード６３はサムネイル画像６１，６２の外周部に配置されている。本実施の形態におけるノードには、そのノードが含まれる図面の番号（図面番号）と、当該図面における当該ノードの番号（ノード番号）とが関連付けられており、この２つの番号を組み合わせることで複数のノード中から１つのノードが特定される。そこで、本実施の形態におけるノードにはノード番号に加えて図面番号が割り当てられており、ノード番号及び図面番号はノード情報記憶装置５３に記憶されている。なお、本実施の形態では図面番号とノード番号によりノードを特定する方法を利用したが、各ノードにユニークな番号を付して当該ノード番号のみでノードを特定する方法を利用しても良いことは言うまでもない。
【００２３】
また、ノード情報記憶装置５３には、各ノード６３が属する配管の番号（配管番号）が記憶されている。詳細は後述するが、この配管番号は、２つのノード６３を接続したリンク６４に関連付けて表示され、当該リンク６４がどの配管の接続関係を示しているかを示す識別子として用いられる。
【００２４】
リンク情報記憶装置５４には、ノード情報記憶装置５３に位置情報が記憶された複数のノード６３の中で対になる２つのノード６３（すなわち接続関係があり、画面上においてリンク６４で結ばれる２つのノード６３）の対応関係を示す接続情報が記憶されている。本実施の形態におけるリンク情報記憶装置５４には、あるノード番号に対して、当該番号を有するノードの接続先となる他のノードの番号（接続先ノード番号）とが関連付けて記憶されている。さらに、リンク情報記憶装置５４には、配管内における流体の流通方向を示す情報（流通方向情報）として、１つのリンク６４で接続された２つのノード６３において流体の流通方向において上流側に位置するノードの番号と、下流側に位置するノードのノード番号とが記憶されている。このように、配管内における流体の流通方向を明示するための具体的なデータ例としては、上流側に位置するノード番号と、下流側に位置するノード番号をそれぞれ記憶しておくものがある。
【００２５】
表示装置１には、図１に示した表示画面１１のように、演算制御装置３によって実行される各処理（後述）によって、各図面のサムネイル画像６１，６２と、当該サムネイル画像６１，６２の外周部に配置されたノード６３と、接続関係にある２つのノード６３を接続するリンク６４が表示される。なお、図１に示した例では、画面上に９枚のサムネイル画像６１，６２が表示されているが、１画面上の画像表示枚数はこれだけには限られない。
【００２６】
入力装置２は、ユーザーによる選択指令を入力するための装置である。入力装置２としてマウスを利用した場合における選択指令の入力方法としては、サムネイル画像６１，６２上にポインタを置いた状態でマウスのボタンをクリックするものがあり、当該操作によって当該サムネイル画像６１，６２を選択した旨の指令が演算制御装置３に出力される。
【００２７】
また、サムネイル画像６１，６２上にポインタを置いた状態でドラッグすると、当該サムネイル画像６１，６２を所望の方向に移動可能にしても良い。この場合において、移動後のサムネイル画像６１，６２の座標は、新たな図面位置情報として図面情報記憶装置５２に記憶される。このようにすれば、ユーザーは、各図面のサムネイル画像６１，６２の表示位置を所望の位置に移動させることができる。一方、サムネイル画像６１，６２以外の領域にポインタを置いた状態でドラッグした場合には、表示領域を所望の方向に移動可能にしても良い。このようにすれば、ユーザーは画面上を所望の方向に移動することができる。
【００２８】
図３は、系統図のサムネイル画像を表示する場合において、本発明の実施の形態に係る演算制御装置３で実行される各処理のフローチャートであり、図４は図３のフローチャートの処理によって表示装置１の表示画面１１に表示される画面の一例を示す図である。
【００２９】
図３に示すフローチャートが開始されると、演算制御装置３は、系統図のサムネイル画像６１及びこれに関連するノード６３を配置した平面直交座標系（以下において、「基準座標系」と称することがある）においてどの領域が表示装置１の画面上に表示されるかを算出する（Ｓ３０１）。この表示領域の情報は、以降の処理において、画面上に表示するサムネイル画像６１及びノード６３を特定する際に利用される。ここにおける表示領域は、例えば、基準座標系において画面の四隅に相当する座標を算出し、その４点によって形成される矩形の内部領域を特定することで算出することができる。
【００３０】
Ｓ３０１における表示領域の算出が完了したら、演算制御装置３は、図面情報記憶装置５２に記憶されている系統図の図面位置情報に基づいて当該表示領域内に位置する系統図の図面番号を特定し（Ｓ３０２）、その図面番号を有する系統図のサムネイル画像６１を画像記憶装置５１から読み込む（Ｓ３０３）。そして、その読み込んだ系統図のサムネイル画像６１をＳ３０２で利用した図面位置情報に基づいて表示装置１の画面上に配置する（Ｓ３０４）。ここでは、図４に示したように９枚の系統図のサムネイル画像６１Ａ，６１Ｂ，６１Ｃ，６１Ｄ，６１Ｅ，６１Ｆ，６１Ｇ，６１Ｈ，６１Ｉが画面上に表示される。
【００３１】
また、演算制御装置３は、ノード情報記憶装置５３に記憶されている複数のノード６３の中からＳ３０２で特定された図面番号が付されたノード６３を特定し（Ｓ３０５）、当該ノード６３をノード情報記憶装置５３に記憶されているノード位置情報に基づいて表示装置１の画面上に配置する（Ｓ３０６）。これにより画面上に表示されたサムネイル画像６１の外周部にノード６３が配置される。例えば、図４において画面の略中央に位置するサムネイル画像６１Ｅにはノード４１が配置される。
【００３２】
さらに、演算制御装置３は、Ｓ３０５で特定された各ノード６３の接続先ノード番号（接続情報）をリンク情報記憶装置５４から読み込んで、複数のノード６３の中で対になっている２つのノード６３を特定する（Ｓ３０７）。そして、演算制御装置３は、Ｓ３０７で特定された２つのノード６３を接続するリンク６４を表示装置１の画面上に表示する（Ｓ３０８）。例えば、リンク情報記憶装置５４から図４におけるノード４１の接続先ノード番号を読み込むと、ノード４１がノード４２と対になっていることが特定でき、当該２つのノード４１，４２を接続するようにリンク４３が画面上に表示される。
【００３３】
また、このとき、演算制御装置３は、Ｓ３０７で特定した２つノード６３についての上下流関係をリンク情報記憶装置５４に記憶された流通方向情報に基づいて特定し（Ｓ３０９）、上流側のノード６３から下流側のノード６３に向かう矢印（上下流情報）をリンク６４に表示する（Ｓ３１０）。これにより画面上に表示されたサムネイル画像６１の外周部にリンク６４が配置される。例えば、図４においてリンク４３で接続された２つのノード４１，４２では、ノード４２が上流側に位置し、ノード４１が下流側に位置していることが特定できるので、ノード４２からノード４１に向かう矢印がリンク４３表示される。なお、本実施の形態、配管内における流体の流通方向を示す方法として、リンク６４に矢印を付す方法を採用したが、その他の方法を採用しても良いことは言うまでもない。例えば、ユーザーの上下流関係の理解を容易にする観点から、上流側のノードから下流側のノードに向かって時間経過とともに矢印が移動するアニメーション表示等をしても良い。
【００３４】
さらに、演算制御装置３は、Ｓ３０５又はＳ３０７で特定したノード６３が接続されている配管をノード情報記憶装置５３に記憶された配管番号に基づいて特定し（Ｓ３１１）、当該配管番号をリンク６４に付して表示する（Ｓ３１２）。これにより画面上に表示された各リンク６４がどの配管の接続関係を示しているかを容易に把握することができる。例えば、図４においてリンク４３で接続された２つのノード４１，４２は、ノード情報記憶装置５３を参照すると、配管番号０１が付された配管に接続されていることが分かる。そこで、リンク４３には、その配管番号４４として「０１」が付して示される。なお、本実施の形態ではリンク６４に配管番号を付して表示することで配管の識別（リンク６４の識別）を行ったが、配管番号の代わりに図形や記号等の識別子を付して表示することで各配管の識別を行っても良い。
【００３５】
上記のように、本実施の形態に係る図面表示装置によれば、複数の系統図間において配管の接続関係がある場合には、その接続関係に基づいてリンク６４が表示されるので、複数の系統図に渡って記載された配管がある場合にも、各系統図間における当該配管の接続関係を容易に把握することができる。特に、本実施の形態によれば、配管内を流通する流体の流通方向を示す矢印と配管番号がリンク６４に付されて表示される。これにより、流体の流通方向の把握が容易になるとともに、特定の配管がどの系統図からどの系統図まで記載されているかを容易に把握することができる。したがって、本実施の形態によれば、配管が記載された複数の図面の取り合い確認作業を従来よりも効率良く行うことができる。
【００３６】
なお、上記の説明では特に触れなかったが、表示装置１の画面上に表示された複数のサムネイル画像６１の１枚が入力装置２を介してユーザーに選択された場合には、当該選択されたサムネイル画像６１を表示装置１の画面上の中央に位置するように表示する処理を演算制御装置３に実行させることが好ましい。このようにサムネイル画像６１を表示すると、所望のサムネイル画像６１を中心に各系統図のリンク関係を表示することができるので、図面の取り合い確認作業の効率をさらに向上させることができる。
【００３７】
また、上記とは別に、表示装置１の画面上に表示された複数のサムネイル画像６１の１枚が入力装置２を介してユーザーに選択された場合には、当該選択されたサムネイル画像６１に係る図面画像を表示装置１の画面上に表示する処理を演算制御装置３に実行させても良い。このように図面画像を表示すると、図面の取り合い確認作業を行いながら図面の詳細についても確認することができる。なお、この場合の具体的な処理としては、演算制御装置３によって、選択されたサムネイル画像６１の図面番号を有する図面画像を画像記憶装置５１から読み出し、当該図面画像を表示装置１の画面上に表示するものがある。図５は、表示装置１の画面上の系統図のサムネイル画像６１Ｉが選択され、当該サムネイル画像６１Ｉに相当する図面画像７１が表示装置１の画面上に表示された場合の一例を示す図である。
【００３８】
ところで、上記の説明では、各系統図間のリンク関係を表示する場合を例に挙げて説明したが、各施工図間のリンク関係を表示する場合にも適用可能なことは言うまでもない。なお、この場合において、各系統図間のリンク関係を表示するモードから、各施工図間のリンク関係を表示するモードへの遷移が可能になるように図面表示装置を構成しても良い。
【００３９】
図６は、画面上のサムネイル画像６１を選択した場合に系統図間リンク表示モードから施工図間リンク表示モードに切り換わる機能を備える図面表示装置の表示画面の一例を示す図である。
【００４０】
この場合における演算制御装置３は、上記のように複数の系統図のサムネイル画像６１とともにリンク６４を表示装置１に表示する処理を実行したときであって、当該複数の系統図のサムネイル画像６１のいずれかが入力装置２を介してユーザーに選択された場合には、図面情報記憶装置５２に記憶された複数の施工図のサムネイル画像６２の位置情報に基づいて表示装置１の画面上に複数の施工図のサムネイル画像６２を配置しつつ、表示装置１に表示されている複数の系統図のサムネイル画像６１を非表示にする処理と、この処理によって表示装置１に表示した施工図に係るノードの位置情報及び接続情報（これらの情報は、先述のように、ノード情報記憶装置５３に記憶されている）に基づいて、対になる２つのノード６３を接続するリンク６４を表示する処理と、その表示したリンク６４に流体の流通方向を示す配管番号を関連付けて表示する処理とを実行する。
【００４１】
すなわち、例えば、図６の画面上において、入力装置２を介して系統図のサムネイル画像６１Ｉがユーザーによって選択されたときには、画面上に表示されている９枚の系統図のサムネイル画像６１が非表示にされるとともに、複数の施工図のサムネイル画像６２が表示装置１の画面上に表示される。このように施工図のサムネイル画像６２を表示すると、施工図についても図面の取り合い確認作業を効率良く行うことができる。なお、この場合についても、系統図の場合と同様に、画面上の施工図のサムネイル画像６２を入力装置２を介して選択した場合には、図６に示すように、当該選択された施工図の図面画像７２を画面上に表示するように図面表示装置を構成しても良い。
【００４２】
ところで、本実施の形態に係る図面情報記憶装置５２には、先述のように分割系統図と施工図との対応関係を示す図面対応情報が記憶されている。そこで、上記のように施工図のサムネイル画像６２を表示する処理を実行する場合において、表示装置１の画面上に配置された複数の系統図のサムネイル画像６１のいずれかが入力装置２を介してユーザーに選択されたときには、その系統図のサムネイル画像６１において入力装置２を介して選択された位置に相当する分割系統図を特定し、その特定した分割系統図に対応する施工図を図面情報記憶装置５２に記憶された対応図面情報に基づいて特定し、その特定した施工図のサムネイル画像６２を表示装置１の画面上の中央に表示する処理を演算制御処理装置３に実行させることが好ましい。
【００４３】
すなわち、例えば、表示装置１の画面上に表示された複数のサムネイル画像６１として図２に示したサムネイル画像６１Ａが表示されているときに、ユーザーが入力装置２を介して分割系統図６１Ａ１に相当する部分を選択した場合には、この分割系統図６１Ａ１に対応づけられた施工図６２Ａ１のサムネイル画像６２が表示装置１の画面上の中央に表示され、これを基準として複数の施工図のサムネイル画像６２が配置されることになる。このように施工図のサムネイル画像６２を表示すると、入力装置２を介して系統図のサムネイル画像６１を選択した部分に対応する施工図のサムネイル画像６２が表示されることになるので、系統図と施工図のサムネイル画像の対応関係を容易に理解することができる。
【符号の説明】
【００４４】
１      表示装置
２      入力装置
３      演算制御処理装置
４      主記憶装置
５      記憶装置
１１      表示画面
４１      ノード
４２      ノード
４３      リンク
４４      配管番号（識別子）
５１      画像記憶装置
５２      図面情報記憶装置
５３      ノード情報記憶装置
５４      リンク情報記憶装置
６１      系統図のサムネイル画像
６２      施工図のサムネイル画像
６３      ノード
６４      リンク
７１      系統図の図面画像
７２      施工図の図面画像
【図１】
0005390502.tif 000002
【図２】
0005390502.tif 000003
【図３】
0005390502.tif 000004
【図４】
0005390502.tif 000005
【図５】
0005390502.tif 000006
【図６】
0005390502.tif 000007